(57)【要約】【課題】  ドアと躯体との一側を、上下方向に隣接する一対の丁番片を用いて開閉揺動自在に連結した建物用ドアにおいて、ドアの施錠時に外されることがないよう防犯性を高めるとともに、意匠性の優れたものにする。【解決手段】  ドア側丁番片４を、玄関ドア１の吊り元側面１ａ内側に設けたドア側ライナー９Ｄに螺合して固定するとともに、躯体側丁番片５をドア枠体２の吊り元側縦枠体２ｂに枠体側ライナー９Ｆを用いて螺合固定し、さらに、前記ドア側丁番片４の突部用貫通孔４ｄを用いて突部８をドア側ライナー９Ｄに螺合固定し、ドア枠体２の吊り元側縦枠体２ｂに突部８が嵌入する凹部１０を形成して、突部８による外れ止めができるように構成する。【選択図】        図５
2005336860.tif 000002
【特許請求の範囲】
【請求項１】
躯体開口部の一側に、ドアの一側を丁番を用いて開閉揺動自在に連結してなる建物用ドアにおいて、前記丁番は、ドア側と躯体側とに上下方向隣接状にそれぞれ固定される一対の丁番片と、該丁番片同志を相対揺動自在に軸支して連結するための軸部とを備えて構成され、前記一対の丁番片のうち、ドアまたは躯体に固定される少なくとも一方の丁番片には、躯体またはドア側に向けて突部が突設される一方、少なくとも他方の丁番片が固定される躯体またはドアには、前記突部がドア閉鎖時に嵌入する凹部が設けられている建物用ドア。
【請求項２】
請求項１において、突部は、丁番片とともにドアまたは躯体側に一体的に固定されている建物用ドア。
【請求項３】
請求項２において、突部は、丁番片をドアまたは躯体側に固定するべく丁番片に開設された貫通孔を用いて一体的に固定されている建物用ドア。
【発明の詳細な説明】
【技術分野】
【０００１】
本発明は、住宅やビル等の建築物の出入り口部に建付けられる建物用ドアの技術分野に属するものである。
【背景技術】
【０００２】
一般に、この種建物用ドアのなかには、ドア側に固定されるドア側丁番片と、該ドア側丁番片に上下方向に隣接する状態で躯体側に固定される躯体側丁番片と、該丁番片同志を相対揺動自在に軸支して連結するための軸部とを備えてなる所謂旗丁番を用いて躯体に取り付けるようにしたものがある。このものにおいて、軸部が外部に露出して設けられた場合では、該軸部を破壊される惧れがあり、このような場合では、ドア側丁番片と躯体側丁番片との連結が解除され、ドアと躯体との丁番側における一体化がなされなくなることがあり、このようになると、ドアが施錠されていたとしても旗丁番側において躯体からドアが外れて開放できるようになってしまい、防犯性に劣るという問題がある。
【０００３】
この改善策として、ドアの閉鎖時において、ドアの丁番取り付け側縁部と躯体側とのあいだに係合関係が形成される箇所を設けることにより防犯性を確保することができ、このようにしたものとしては、ドアの丁番取り付け側の端面に突部を設ける一方、躯体側（ドア枠）に凹部を設け、ドアの閉鎖時に突部が凹部に嵌入係合するようにしたものが提唱されている。
【特許文献１】実公昭５１−１４４２８号公報
【発明の開示】
【発明が解決しようとする課題】
【０００４】
ところが、前記従来のものは、凸部と凹部との係合部位と丁番取り付け部とが上下方向でそれぞれ異なる位置に設けられているため、突部が外部、すなわち、ドアとドア枠とのあいだの隙間（チリ）から臨めてしまい、該部位において突部を破壊されれば従来と同様にドアの開放がなされてしまい、防犯性が充分でないという問題があるばかりでなく、チリから突部が見えてしまい外観としての意匠性に劣るという問題があり、これらに本発明の解決すべき課題がある。
【課題を解決するための手段】
【０００５】
本発明は、上記の如き実情に鑑みこれらの課題を解決することを目的として創作されたものであって、請求項１の発明は、躯体開口部の一側に、ドアの一側を丁番を用いて開閉揺動自在に連結してなる建物用ドアにおいて、前記丁番は、ドア側と躯体側とに上下方向隣接状にそれぞれ固定される一対の丁番片と、該丁番片同志を相対揺動自在に軸支して連結するための軸部とを備えて構成され、前記一対の丁番片のうち、ドアまたは躯体に固定される少なくとも一方の丁番片には、躯体またはドア側に向けて突部が突設される一方、少なくとも他方の丁番片が固定される躯体またはドアには、前記突部がドア閉鎖時に嵌入する凹部が設けられているものである。
そして、このようにすることにより、防犯性に優れるうえ、意匠性にも優れたものにできる。
請求項２の発明は、請求項１において、突部は、丁番片とともにドアまたは躯体側に一体的に固定されているものとすることができ、このようにすることにより、突部の強度を高めることができる。
請求項３の発明は、請求項２において、突部は、丁番片をドアまたは躯体側に固定するべく丁番片に開設された取り付け孔を用いて一体的に固定されているものとすることができ、このようにすることにより、旗丁番に何ら加工をすることなく突部を設けることができ、既設のドアにも取り付けることができる。
【発明の効果】
【０００６】
請求項１の発明とすることにより、防犯性だけでなく意匠性にも優れたものにできる。
請求項２の発明とすることにより、突部の強度を高めることができる。
請求項３の発明とすることにより、旗丁番の加工を不要としながら突部を設けることができ、既設のドアにも簡単に取り付けることができる。
【発明を実施するための最良の形態】
【０００７】
つぎに、本発明の実施の形態について、図１〜５の図面に基づいて説明する。
図面において、１は本発明の建物用ドアに相当し、住宅の玄関口に設けられた玄関ドアであって、該玄関ドア１は、左右方向一方（本実施の形態では左側）の屋内外面には把手１ａが設けられており、左右方向他方（右側）の縁部は、後述するように、躯体に開閉揺動自在に枢支されている。そして、把手１ａを把持し、前記左右方向他方（左側）を基準として屋内外方向に揺動させることにより、玄関口の開閉がなされるように構成されている。
【０００８】
２は玄関ドア１が建付けられる玄関口（躯体開口部）に設けられるドア枠体であって、該ドア枠体２は左右の縦枠体２ａ、２ｂと上下の横枠体２ｃ、２ｄとにより構成されている。これら縦、横各枠体２ａ、２ｂ、２ｃ、２ｄの屋内側の半部には、玄関ドア１の屋内側面の外縁部に対向するべく、ドア当り面２ｅが左右方向内側に突出する状態で形成されており、該ドア当り面２ｅには、封止用のクッション材２ｆが配設されている。
【０００９】
さて、３は玄関ドア１を躯体に開閉揺動自在に枢支するための丁番であって、該丁番３は、本実施の形態では、玄関ドア１の右側を吊り元側とするべく、右側の吊り元側面１ｂと、玄関口の右側に位置する吊り元側縦枠体２ｂに形成される取り付け面とのあいだに、上下方向三箇所に位置して設けられている。前記各丁番３は、上下に隣接する一対の丁番片４、５を備えた旗丁番に構成されており、これら丁番片４、５のうち、上側に位置するものが玄関ドア１側に固定されるドア側丁番片４、下側に位置するものが躯体側に固定される躯体側丁番片５に構成されている。
前記各丁番片４、５は、それぞれプレート状の本体部４ａ、５ａの一側部に、円筒状の軸支持部４ｂ、５ｂが形成されたものに構成されている。そして、躯体側丁番片５の軸支持部５ｂには軸部６の下半部が一体的に嵌入しており、ドア側丁番片４の軸支持部４ｂは、前記軸部６の上半部を回動自在に嵌入可能となるように形成されている。そして、後述するように、玄関ドア１を開口部に組み付ける場合に、躯体側丁番片軸支持部５ｂから突出する軸部６の上半部に、ドア側丁番片軸支持部４ｂを外嵌させることにより、各丁番片４、５同志を連結するとともに、各丁番片４、５同志を軸部６を支軸として相対揺動自在とするように構成されている。
【００１０】
これら丁番片４、５は、玄関ドア１の閉鎖時に近接対向する吊り元側面１ｂと吊り元側縦枠体２ｂとに、上下方向に隣接する状態で固定されるように設定されており、玄関ドア１の閉鎖時に、各丁番片４、５は、吊り元側縦枠体２ｂまたは吊り元側面１ｂに対してそれぞれ近接対向するように設定されている。さらに、これら各丁番片４、５は、予め螺子７を用いて吊り元側面１ｂまたは吊り元側縦枠体２ｂにそれぞれ螺着固定されるように構成されており、そのため、本体部４ａ、５ａには、螺子７挿通用（取り付け用）の貫通孔４ｃ、５ｃがそれぞれ開設されている。これら貫通孔４ｃ、５ｃは、各本体部４ａ、５ａにおいて、上下端部に二個づつ、中央部に一個のものがそれぞれ開設されている。因みに、丁番３は一般的に汎用されるものであり、貫通孔４ｃ、５ｃの数についても規格化されたものを用いることができる。
【００１１】
そして、本実施の形態では、前記五つの貫通孔４ｃ、５ｃのうち、中央部に位置する貫通孔を、本発明の突部８を配設するための突部用貫通孔４ｄ、５ｄとするように設定されており、これら丁番片４、５のうち、ドア側丁番片４の突部用貫通孔４ｄに突部が一体的に突設されるように設定されている。ここで、前記突部８は、リング状体で形成されており、ドア側丁番片４を玄関ドア１に螺子７を用いて螺合するときに、突部８の筒孔８ａを挿通する螺子８ｂを介してドア側丁番片本体部４ａ、そして、玄関ドア１に固定されるように設定されている。
尚、突部８は、本体部４ａに開設された五つの貫通孔４ｄのうち、中央部の貫通孔４ｃを突部用貫通孔４ｄとして設けられているが、これら五つの貫通孔４ｄは汎用の丁番片では全て同形状に形成されており、これら貫通孔４ｃのうちの何れかを適宜選択して設けることができる。
【００１２】
ここで、ドア側丁番片４を玄関ドア１に螺着する場合に、玄関ドア１の吊り元側面１ｂには、ドア側丁番片４固定部位となる上下三箇所に位置して内側からドア側のライナー９Ｄがあてがわれており、該ドア側ライナー９Ｄには、ドア側丁番片４の五つの貫通孔４ｃ、４ｄに対応して五つの螺子孔９ａが刻設されている。そして、玄関ドア吊り元側面１ｂのドア側ライナー９Ｄ配設部位に位置する外側面にドア側丁番片４をあてがい、ドア側丁番本体部４ａの上下端部の四個の貫通孔４ｃを介してそれぞれ螺子７を挿通せしめ、該螺子７の挿通先端部をライナー螺子孔９ａに螺合させることにより、ドア側丁番片４を玄関ドア吊り元側面１ｂに固定できるように設定されている。さらに、この状態において、ドア側丁番本体部４ａの突部用貫通孔４ｄに突部８をあてがい、突部８の筒孔８ａを介して長軸状の螺子８ｂを挿通し、該挿通先端部を突部用貫通孔４ｄを貫通せしめて、ドア側ライナー９Ｄに形成された螺子孔９ａに螺合することにより、突部８がドア枠体２側に突出する状態でドア側丁番本体部４ａに一体的に締め付け固定されるように設定されている。ここで、突部８は、吊り元側面１ｂの内側に配されたドア側ライナー９Ｄに螺合させることにより緊締されており、これによって、突部８をドア側丁番片４に一体化するだけでなく、玄関ドア吊り元側面１ｂにも一体化する状態とし、さらには、ドア側丁番片４と玄関ドア吊り元側面１ｂとは五箇所において螺子止め固定されるように設定されている。
尚、本実施の形態の玄関ドア１は、表面板の内部に補強用の断面コ字形のフレーム材Ｆが配設される構成となっている。そして、前記ドア側ライナー９Ｄはフレーム材Ｆの内側にあてがわれており、このため、ドア側蝶番片４は、螺子７、８ｂをドア側ライナー９Ｄの螺子孔９ａに螺合して玄関ドア１に螺子止め固定したとき、フレーム材Ｆを介しての固定となって、より強固な一体化が実現するように設定されている。
【００１３】
一方、躯体側丁番片５の吊り元側縦枠体２ｂへの固定は、ドア側丁番片４の固定と同様に構成され、玄関ドア１の取り付け状態において、前記ドア側丁番片４の下方に隣接する部位であって、吊り元側縦枠体２ｂの上下三箇所に位置して枠体側のライナー９Ｆがあてがわれている。この枠体側ライナー９Ｆは、前記ドア側ライナー９Ｄと同様に構成されており、躯体側丁番片５の五つの貫通孔５ｃ、５ｄに対応して五つの螺子孔９ａが刻設されたものに構成されている。そして、吊り元側縦枠体２ｂの内側から枠体側ライナー９Ｆを、外側から躯体側丁番片５をあてがい、上下端部、そして中央部の五個の貫通孔５ｃから挿通された螺子７をライナー貫通孔９ａに螺合させることにより、躯体側丁番片５と吊り元側縦枠体２ｂとを五箇所において螺子止め固定するように設定されている。因みに、各蝶番片４、５は、それぞれ五つの貫通孔４ｃ、５ｃ、４ｄ、５ｄ部位の全ての箇所において玄関ドア１あるいは吊り元側縦枠体２ｂと螺子止めされており、突部８を設ける側の丁番片４または５の固定状態、設けられない丁番片５または４の固定状態が同様になっている。このように、本発明が実施されたものでは、各丁番片とドアまたは躯体との固定において、突部が設けられる丁番片についても、突部を設けない丁番片と同様に、貫通孔の数と同数の螺合箇所を確保することができ、突部を設けることにより丁番片のドアまたは躯体への取り付け強度が低下してしまうような不具合を回避できるように構成されている。
さらに、吊り元側縦枠体２ｂには、前記躯体側丁番片５固定部の上方であって、後述するように、玄関ドア１を組み込んだ状態で、ドア側丁番片４に設けられた突部８に対向する部位に位置して、枠材を前記突部８よりも大径の円形状に切り欠くことにより構成された凹部１０が形成されている。
ここで、ドア側、躯体側の各丁番片４、５は、玄関ドア１を屋外側への揺動で開放するように構成するため、それぞれの軸支持部４ｂ、５ｂが屋外側に位置する状態で設けられている。
【００１４】
そして、ドア側丁番片４が固定された玄関ドア１を、躯体側丁番片５が固定された躯体側（ドア枠体２）に組み込む場合に、玄関ドア１を、開口部に対して上側から下ろすようにして組み込むことにより、ドア枠体２の三箇所に設けられる躯体側丁番片５から上方に突出する軸部６が、ドア側丁番片４の軸支持部４ｂに嵌入する状態で組み込まれ、これによって、玄関ドア１がドア枠体２に対して相対揺動自在（開閉揺動自在）な状態で連結、組み込みされるように設定されている。この組み込み状態において、ドア側丁番片４の本体部４ａから吊り元側縦枠体２ｂ（躯体側であって、外方）に向けて突出する突部８は、吊り元側縦枠体２ｂに凹設された凹部１０に対向しており、玄関ドア１を閉鎖したとき突部８が凹部１０に嵌入するように設定されている。これによって、玄関ドア１が閉鎖され、施錠されている状態においては、施錠具のラッチボルトが戸先側縦枠体２ａに係合されている一方、玄関ドア１に一体的に固定されているドア側丁番片４の突部８が吊り元側縦枠体２ｂに係合されており、丁番３が破壊されてドア側丁番片４と躯体側丁番片５との連結が解消されたとしても、玄関ドア１を吊り元側縦枠体２ｂから外すことができない外れ止め機能を発揮することができるように構成されている。
尚、前記突部８の玄関ドア吊り元側面１ｂからの突出長さＬは、玄関ドア１とドア枠体２との左右において形成される各チリの和よりも大きい長さに設定されており、これによって、玄関ドア１を戸先側（左側）の縦枠体２ａ側に押し付けたとしても突部８と吊り元側縦枠体２ｂ（凹部１０）との係合が解消されないように設定されている。
【００１５】
叙述の如く構成された本形態において、玄関ドア１は、丁番３を構成するドア側丁番片４が予め吊り元側面１ｂに設けられた玄関ドア１を、ドア側丁番片４の軸支持部４ｂに、吊り元側縦枠体２ａに設けられた躯体側丁番片５の軸部６に嵌入させるようにして組み込むことで、ドア枠体２に開閉揺動自在な状態で連結、組み込みがなされるが、この場合に、ドア側丁番片４には吊り元側縦枠体２ｂ側に向けて突出する突部８が突設されていて、玄関ドア１の閉鎖時には前記突部８が吊り元側縦枠体２ｂに形成された凹部１０に嵌入している。このため、屋外側に露出する軸部６が破損されて、ドア側丁番片４と躯体側丁番片５との連結状態が解消されてしまったとしても、玄関ドア１に一体的に設けられたドア側丁番片４の突部８が吊り元側縦枠体２ｂに係合して外れ止め機能を果しているため、玄関ドア１の吊り元側が吊り元側縦枠体２ｂから抜け出して玄関ドア１が外れて（開放されて）しまうことがなく、防犯性を一層高めることができる。しかもこのものでは、突部８がドア側丁番片４に設けられているため、該突部８が屋外側に位置する軸支持部４ｂにより覆うことができて、玄関ドア１と吊り元側縦枠体２ｂとのあいだに形成されるチリから突部８を臨むことができず、さらに防犯性が高められるうえ、屋外からの意匠性を向上させることができる。
【００１６】
さらに、本実施の形態のものでは、突部８をドア側丁番片４に設ける場合に、規格化された丁番片４、５の本体部４ａに予め開設されている貫通孔４ｂを利用し、リング状の突部８の筒孔８ａ、外方から挿入した長軸状の螺子８ａを挿通せしめ、玄関ドア吊り元側面１ｂの内側にあてがわれたドア用ライナー９Ｄの螺子孔９ａに螺合させる構成としたので、突部８が本体部４ａによる固定支持を受けるのみならず、玄関ドア吊り元側面１ｂによる固定支持をも受けられることになって、突部８の一体化強度を高めることができ、防犯性のさらなる向上を図ることができる。しかも、このものにおいて、突部８が設けられるドア側丁番片４は、螺子７、および突部８を螺合するための螺子８ｂとにより都合五箇所がドア側ライナー９Ｄに螺合固定されるので、突部を設けない躯体側丁番片５と同様の取り付け強度を確保した状態で躯体に取り付けることができる。この結果、重量のある玄関ドアであっても突部を取り付けることが可能となって、外れ止め機能を備えた玄関ドアを広く汎用させることができる。
【００１７】
しかも、このものにおいて、旗丁番３は汎用の規格品を用いることができ、ドア側、躯体側の各丁番片本体部４ａ、５ａに開設された複数の貫通孔４ｃ、５ｃのうちの一つを突部用貫通孔４ｄ、５ｄとして用いることができ、各丁番片４、５を何ら加工することなくそのまま規格品を用いて外れ止め機能を備えた旗丁番に構成することができる。さらには、突部８が嵌入する凹部１０は、躯体側丁番片５の上方の吊り元側枠体２ｂを構成する枠材に直接形成することができる。この結果、構成の簡略化を果すことができるうえ、既設の玄関ドアに外れ止め機能を付与しようとしたときに、容易に工事を行うことが可能となる。
【００１８】
また、本実施の形態では、ドア側丁番片４に突部８を設ける構成とし、ドア枠体２の吊り元側縦枠体２ｂに凹部１０を形成する構成としたので、玄関ドア１は、何ら加工することなく従来通りとし、吊り元側縦枠体２ｂの枠材に切り欠きを形成するだけで外れ止め機能を有した構成とすることができて、構成の簡略化を果すことができる。
【００１９】
尚、本発明は前記実施の形態に限定されないことは勿論であって、図６に示す第二の実施の形態のように構成することもできる。
第二の実施の形態では、旗丁番３を構成するドア側丁番片４と躯体側丁番片５と軸部６とは、前記第一の実施の形態と同様の構成であるが、このものでは、前記リング状体で構成された突部８が、躯体側丁番片本体部５ａの中央部に開設された突部用貫通孔５ｅに螺子８ｂを用いて一体的に設けられている。そして、玄関ドア１に固定されたドア側丁番片４の下方部位であって、玄関ドア１を閉鎖したとき前記躯体側丁番片５に設けられた突部８に対向する部位に凹部１１が設けられる構成となっている。そして、この場合でも、屋外から軸部６を破壊されたとしても、躯体側から突出する突部８が玄関ドア１に係合しているため、玄関ドア１が外れることはないうえ、屋外から観たとき突部８は軸部６によって覆われて露出することがなく、意匠的にも優れたものとすることができる。
【００２０】
また、突部の丁番片への一体化手段としては、溶着等の手段を採用することもできる。さらには、丁番片をドアまたは躯体に螺合する螺子を、頭部の大きいもので構成し、該螺子の頭部を突部として兼用することも可能である。
さらに、突部は、ドア側に固定される丁番片と躯体側に固定される丁番片との両者に設け、それぞれ対向する躯体、または、ドアに凹部を形成する構成とすることも可能である。また、ドアの上下方向複数箇所に設けられる旗丁番のうち、例えば上下端部に配される旗丁番にのみ突部を設ける構成とすることもでき、要は、丁番の軸部を破壊されて丁番によるドアと躯体との連結が解消されたとしても、ドア側と躯体側とが突部を介して係合して外れ止めされる構成とすればよい。
【図面の簡単な説明】
【００２１】
【図１】玄関ドアの取り付け状態を説明する正面図である。
【図２】図２（Ａ）、（Ｂ）はそれぞれ玄関ドアの正面図、背面図である。
【図３】図３（Ａ）、（Ｂ）、（Ｃ）はそれぞれドア側丁番片の側面図、平面図、図１のＸ−Ｘ断面図である。
【図４】図１のＹ−Ｙ断面図である。
【図５】丁番の取り付け状態を説明する斜視図である。
【図６】第二の実施の形態における玄関ドアの一部平面断面図である。
【符号の説明】
【００２２】
１    玄関ドア
１ｂ    吊り元側面
２    ドア枠体
２ｂ    吊り元側縦枠体
３    丁番
４    ドア側丁番片
４ｄ    突部用貫通孔
５    躯体側丁番片
５ａ    本体部
５ｂ    軸支持部
６    軸部
８    突部
８ａ    筒孔
９Ｄ    ドア側ライナー
１０    凹部
【図１】
2005336860.tif 000003
【図２】
2005336860.tif 000004
【図３】
2005336860.tif 000005
【図４】
2005336860.tif 000006
【図５】
2005336860.tif 000007
【図６】
2005336860.tif 000008